(57)【要約】【課題】  付箋を積層状に重ねた付箋集合体を収納し、上面に開口された取出口からこの付箋を連続的に一枚ずつ取り出すことができるものであって、製造に手間とコストがかからず、生産性に富み、付箋を安定的に取り出すことができる付箋収納容器を提供することを目的とする。【解決手段】  所定の展開形状の板材を折り曲げて直方体に形成した収納容器であって、一の側面部分の上縁を延設させて付勢片を形成し、上記付箋集合体を取出口方向に付勢して押上げるために、上記付勢片を収納容器の内部で屈曲させて付勢体を形成させる。【選択図】  図２  
0003103350.tif 000002
【実用新案登録請求の範囲】
【請求項１】
付箋を積層状に重ねた付箋集合体を収納し、上面に開口された取出口からこの付箋を連続的に一枚ずつ取り出すことができる付箋収納容器において、所定の展開形状の板材を折り曲げて直方体に形成した収納容器であって、一の側面部分の上縁を延設させて付勢片を形成し、上記付箋集合体を取出口方向に付勢して押上げるために、上記付勢片を収納容器の内部で屈曲させて付勢体を形成させたことを特徴とする付箋収納容器。
【請求項２】
上記付勢片を山形の付勢体に形成し、この付勢体の頂部を上記付箋集合体の裏面側に当接させ、この付箋集合体を取出口方向に押上げるように付勢体を構成させたことを特徴とする請求項１記載の付箋収納容器。
【請求項３】
上記付勢体を形成するために、付勢片に予め折れ線を設けたことを特徴とする請求項１または請求項２記載の付箋収納容器。
【請求項４】
上記付勢片を延設させた側面に対向する側面の上縁に収納容器内部側に屈曲させて上記付箋集合体の最上面を保持する保持片を延設させたことを特徴とする請求項１から請求項３までのいずれかに記載の付箋収納容器。
【考案の詳細な説明】
【技術分野】
【０００１】
本考案は、付箋を積層状に重ねた付箋集合体を収納し、上面に開口された取出口からこの付箋を連続的に一枚ずつ取り出すことができる付箋収納容器に関する。
【背景技術】
【０００２】
近年、付箋を積層状に重ねた付箋集合体を収納容器に収納したまま一枚ずつ連続的に取り出すことができる付箋収納容器が市販されている。
【０００３】
この付箋集合体は、通常、裏面に再貼着再剥離性の粘着剤が帯状に塗布された粘着端とこの粘着端に対向する他端のリード端とから構成される付箋を粘着端の位置が一枚ずつ反対側になるように積層状に重ねて形成されている。
【０００４】
従来、たとえば上記付箋集合体の最上部の１枚を上記収納容器の上面に開口された取出口から取り出すと、この付箋集合体と収納容器の底面の内壁側との間に介装された付勢体の付勢力によって、上記取出口に向かって付箋集合体が押し上げられて、取り出された付箋の直下の付箋が常に付箋収納容器の上面の内壁側に接触するように構成された収納容器が開示されている（特許文献１）。
【０００５】
すなわち、予め取出口から外側に露出している最上部の付箋のリード端を摘んで取出口から付箋を取り出すとき、直下の付箋のリード端は、当初、最上部の付箋の粘着端に塗布された粘着剤の粘着力により、取出口から最上部の付箋とともに外側に引出される。引き続き最上部の付箋のリード端を引き上げると、直下の付箋の収納容器内部に収納されている部分が収納容器の上面の内壁に接触し、この内壁から外力が加わる。この外力が、ある時点で上記粘着力に打ち勝つことによって最上部の付箋のみが剥離され、上記直下の付箋は、リード端のみが取出口から露出された状態になる。このリード端を摘んで取出口から取り出すことにより、再び次の付箋が上述した作用を繰り返し、連続的な取出しが可能となる。
【０００６】
なお、上記付勢体は、付箋集合体の下面に面接触した状態で介装されている。
【特許文献１】実用新案登録第３０８２１６０号公報（例えば，請求項１の記載）。
【考案の開示】
【考案が解決しようとする課題】
【０００７】
しかしながら、上記従来の収納容器では、製造工程において、付勢体を別途製造し、付箋集合体と収納容器の底面の内壁側との間に介装するという作業が必要になるため、構成が複雑になり、手間とコストがかかるという問題点があった。
【０００８】
また、付勢体の採寸が不正確だと、付箋を引出す際に、付勢体の付勢力が十分に機能しないおそれがあるため、付勢体の採寸は厳密に行わなければならず、生産性に欠けるという問題点もあった。
【０００９】
ところで、付箋集合体を収納容器にスムーズに収納するためには、収納容器の幅を付箋集合体の幅よりも若干広めに設ける必要がある。従って、付箋集合体と収納容器との間には、上下左右の幅方向において若干の隙間が生じる。
【００１０】
上記従来の収納容器では、付勢体は、付箋集合体の下面に面接触した状態で介装されているため、付箋を取出口から取り出すときに、上記隙間の範囲で付箋が付勢体上を摺動し、付箋の取出しが安定的に行えないという不都合が生じるおそれがあった。  
【００１１】
そこで、本考案は、上記問題点に鑑み、製造に手間とコストがかからず、生産性に富み、付箋を安定的に取り出すことができる付箋収納容器を提供することを目的とする。
【課題を解決するための手段】
【００１２】
上記課題を解決するために、本考案にかかる付箋収納容器は、付箋を積層状に重ねた付箋集合体を収納し、上面に開口された取出口からこの付箋を連続的に一枚ずつ取り出すことができる付箋収納容器において、所定の展開形状の板材を折り曲げて直方体に形成した収納容器であって、一の側面部分の上縁を延設させて付勢片を形成し、上記付箋集合体を取出口方向に付勢して押上げるために、上記付勢片を収納容器の内部で屈曲させて付勢体を形成させたことを特徴とする。
【００１３】
本考案によれば、展開形状の板材から一体的に上記付勢体を形成することができる。
【００１４】
上記付勢体は、たとえば、頂部を上記付箋集合体の裏面側に当接させた山形に形成させることができ、上記頂部によって付箋集合体を取出口方向に押上げて付勢することも可能である。この場合、付箋集合体は、付勢体の頂部と線接触している。
【００１５】
上記付勢体を所定の形状に形成しやすくするためには、上記付勢片に予め折れ線を設けることが好ましい。
【００１６】
なお、上記付勢片を延設させた側面に対向する側面の上縁に収納容器内部側に屈曲させて上記付箋集合体の最上面を保持する保持片を延設させれば、付箋集合体をより確実に固定することができる。
【考案の効果】
【００１７】
以上の説明からも明らかなとおり、本考案にかかる付箋収納容器は、展開形状の板材から一体的に付勢体を形成することができるため、別部材として付勢体を形成し、これを付箋集合体と収納容器底面の内壁との間に介装させる作業が必要になる従来の付箋収納容器に比べ、手間とコストがかからず、生産性に富むという効果を奏する。
【００１８】
また、付箋集合体は、上記付勢体の頂部と線接触しているので、付勢体と面接触している従来の収納容器に比べ、付箋を取り出すときに摺動せず、安定的に付箋の取出しが可能になるという効果も奏する。
【考案を実施するための最良の形態】
【００１９】
図１を参照して、１は、長方形の付箋１０を積層状に重ねた付箋集合体である。この付箋集合体１は、裏面に帯状の再貼着再剥離性の粘着剤（図示せず）が塗布された粘着端１０ａとこの粘着端１０ａに対向する他端のリード端１０ｂとから構成される付箋１０を粘着端１０ａの位置が一枚ずつ反対側になるように積層状に重ねて形成されている。
【００２０】
本実施の形態では、長方形の付箋１０の長手方向の両端を粘着端１０ａ及びリード端１０ｂとしているが、本考案にかかる付箋は、これに限定されず、付箋１０が正方形であってもよい。
【００２１】
また、付箋は、紙製のもののほか、合成樹脂フィルム製のものであってもよい。
【００２２】
図２は、板材からなる付箋収納容器２の展開図である。ここで、板材としては、例えば、上質紙、コート紙、ボール紙等や合成樹脂フィルム等が用いられるが、これに限定されるものではない。２１は、付箋収納容器２の上面であり、上面２１の中央よりやや上方には、上面２１の幅方向で付箋１０が通過可能な幅の切取り片ｘが切込み線ｙを介して形成されている。使用時に切込み線ｙに沿って切取り片ｘを切り取ることにより、取出口２１ａが開口される。なお、切込み線ｙには、切取り片ｘを切り取る前に上面２１と連結しておくための連結部ｚが設けられている。
【００２３】
本実施の形態では、取出口２１ａの位置を上面２１の中央よりやや上方としたが、付箋収納容器２に収納する付箋１０の形状等により中央や中央よりやや下方であってもよく、本実施形態のものに限定されるものではない。
【００２４】
図２において、上面２１の長手方向の左側端２１ｂの外側には左側面２２が連設され、右側端２１ｃの外側には、右側面２３が連設されている。さらに、左側面２２の左側端２２ａの外側には底面２４が連設され、右側面２３の右側端２３ａの外側には底面２５が連設されている。
【００２５】
上面２１の幅方向の上側端２１ｄの外側には上側面２６が連設されている。この上側面２６の上側端２６ａの外側には、付勢体２８を構成する付勢片２８ａ、２８ｂ及び２８ｃが延設されている。展開形状における付勢体２８の上端は、付勢片２８ｃの上側端２８ｄである。
【００２６】
本実施の形態では、付勢体２８は、折り目ｌ、ｍを介して付勢片２８ａ、２８ｂ及び２８ｃから構成されているが、本考案にかかる実用新案登録請求の範囲から逸脱しない範囲であれば、付勢体２８の構成は上記のものには限定されない。
【００２７】
上面２１の幅方向の下側端２１ｅの外側には下側面２７が連設されている。この下側面２７の下側端２７ａの外側には、保持体２９を構成する保持片２９ａが延設されている。展開形状における保持体２９の上端は、保持片２９ａの上側端２９ｂである。
【００２８】
本実施の形態では、保持体２９は、保持片２９ａから構成されているが、本考案にかかる実用新案登録請求の範囲から逸脱しない範囲であれば、保持体２９の構成は上記のものには限定されない。さらに、保持体２９を設けないものであってもよい。
【００２９】
図３は、図２の展開図に付箋集合体１が付勢体２８に載置されている状態を示したものである。付箋集合体１の最下部は付勢片２８ａ上に接着剤等により固定されるのが好ましい。
【００３０】
図４は、付箋集合体１を付勢体２８に載置した状態で付勢片２８ａ、２８ｂ及び２８ｃと保持片２９ａとを収納容器２の内部側に屈曲させた状態を上面２１の裏面側から示した図である。
【００３１】
図５は、組み立てられた付箋収納容器２の上面図である。なお、取出口２１ａは、図２で示した切取り片ｘを切り取って開口された状態を示した。
【００３２】
以下図２、図３、図４及び図５を参照して付箋収納容器２の組み立て方法を説明する。
【００３３】
図２において、上面２１の幅方向の上側端２１ｄを山折りに屈曲させて上側面２６を立設させる。この上側面２６の上側端２６ａをさらに山折りに屈曲させて付勢片２８ａを上面２１の裏面と対向させる。折り目ｌに沿って付勢片２８ｂを谷折りし、さらに折り目ｍに沿って付勢片２８ｃを谷折りし、付勢片２８ａに付勢片２８ｃの上側端２８ｄを当接させる。次いで、必要に応じ上記当接させた付勢片２８ａと上側端２８ｄとを粘着テープなどで固定する。以上により、図４で示すとおり付勢体２８が形成される。  
【００３４】
次に、上面２１の幅方向の下側端２１ｅを山折り屈曲させて下側面２７を立設させる。この下側面２７の下側端２７ａをさらに山折りに屈曲させて保持片２９ａの上側端２９ｂを上面２１の裏面に当接させる。上記当接させた上面２１の裏面と上側端２９ｂとを粘着テープなどで固定する。以上により、図４で示すとおり保持体２９が形成される。
【００３５】
上面２１の長手方向の左側端２１ｂに沿って屈曲し左側面２２を立設させる。さらに左側面２２の左側端２２ａを底面２４が上面２１の裏面と対向するように屈曲させる。このとき底面２４と上側面２６の上側端とを粘着テープなどで固定しても良い。同様に、底面２４と下側面２７の下側端２７ａとを粘着テープなどで固定しても良い。
【００３６】
右側面２３も、上記左側面２２と同様に、右側端２１ｃに沿って屈曲して立設させる。さらに右側面２３の右側端２３ａを屈曲し、底面２５を底面２４に重ねる。このとき底面２５には接着剤を塗布し、底面２４と底面２５とを接着する。
【００３７】
以上の方法により、付箋収納容器２が組み立てられるが、ここで説明した組み立て方法は例示にすぎず、本考案にかかる実用新案登録請求の範囲から逸脱しない範囲であれば、他の組み立て方法で組み立ててもよい。
【００３８】
図６は、付箋集合体１を収納した付箋収納容器２の側断面図である。上記形成された付勢体２８の頂部は折り目ｌから成り、この折り目ｌは、付箋集合体１の裏面に線接触で当接し、付勢体２８の付勢力により取出口２１ａ方向に付勢している。一方、下側面２７側では、保持体２９が付箋集合体１の一端を保持している。
【００３９】
以上のような構成をとることにより、付箋収納容器２は、展開形状の板材から一体的に付勢体２８を形成することができるため、別部材として付勢体を形成し、これを付箋集合体と収納容器底面の内壁との間に介装させる作業の必要がなくなり、製造に手間とコストがかからず、生産性が向上する。
【００４０】
また、付箋集合体１は、付勢体２８の頂部と線接触しているので、付勢体と面接触している従来の収納容器に比べ、付箋を取り出すときに摺動せず、安定的に付箋の取出しが可能になる。さらに、保持体２９により、付箋集合体１は、ほぼ両端が固定される状態になるのでより安定的な取出しが可能になる。
【００４１】
図７、図８及び図９、図１０に上記付箋収納容器２の変形例を示す。図７、図８は、付箋収納容器２の第１変形例の展開図と側断面図であり、図９、図１０は、付箋収納容器２の第２変形例の展開図と側断面図である。
【００４２】
第１変形例では、図７において、付勢片２８の上側端ｎを折り目として付勢片２８ｄを延設させる。
【００４３】
この第１変形例では、図２乃至図５で説明したように上側面２６を立設させた後、上側端２６ａを上面２１側に屈曲させて付勢片２８ａを上面２１と対向させる。折り目ｌに沿って付勢片２８ｂを谷折りする。次いで、折り目ｍ、折り目ｎに沿って、付勢片２８ｃと付勢片２８ｄとを順次山折りし、付勢片２８ｄの裏面に接着剤を塗布した上で、付勢片２８ｄを付勢片２８ａに接着する。以上により、付勢体２８が形成される。
【００４４】
保持体２９は、保持片２９ａをやや短めに形成し、折り目ｏを介して保持片２９ｂが延設されている。さらに、折り目ｐを介して保持片２９ｂに保持片２９ｃが延設されている。
【００４５】
保持片２９についても図２乃至図５で説明したように、下側面２７を立設させた後、下側端２７ａを上面２１側に屈曲させて保持片２９ａを上面２１と対向させる。保持片２９ａと保持片２９ｂとの間の折り目ｏと、保持片２９ｂと保持片２９ｃとの間の折り目ｐとを順次山折りする。保持片２９ｃに接着剤を塗布し、保持片２９ｃを上面２１の裏面に接着する。以上により、保持体２９が形成される。
【００４６】
なお、付勢片２８ｃ及び保持片２９ａに接着剤を塗布し、それぞれ底面２４と接着してもよい。
【００４７】
図８で示すとおり、この第１変形例では、付勢体２８は、付箋集合体１を取出口２１ａ方向に垂直に付勢するので、付勢力が強化される。
【００４８】
第２変形例では、図７の付勢片２８ｃを舌片２８ｃ’としたものである。この場合は、底面２４に設けた差込口２４ａに舌片２８ｃ’を差し込んで組み立てる。舌片２８ｃ’と差込口２４ａを設けることにより、付勢体２８を形成するときの位置決めが明確になるため作業効率が向上する。
【図面の簡単な説明】
【００４９】
【図１】付箋集合体を示す図。
【図２】本考案にかかる付箋収納容器の展開図。
【図３】付箋集合体を載置した付箋収納容器の展開図。
【図４】付勢片と保持片とを収納容器の内部に折り込んだ状態を示す図。
【図５】組み立てられた付箋収納容器の上面図。
【図６】付箋集合体を収納した付箋収納容器の側断面図。
【図７】付箋収納容器の第１変形例の展開図。
【図８】付箋収納容器の第１変形例の側断面図。
【図９】付箋収納容器の第２変形例の展開図。
【図１０】付箋収納容器の第２変形例の側断面図。
【符号の説明】
【００５０】
１  付箋集合体
２  付箋収納容器
２１  上面
２２  左側面
２３  右側面
２４  底面
２５  底面
２６  上側面
２７  下側面
２８  付勢体
２９  保持体
【図１】
0003103350.tif 000003
【図２】
0003103350.tif 000004
【図３】
0003103350.tif 000005
【図４】
0003103350.tif 000006
【図５】
0003103350.tif 000007
【図６】
0003103350.tif 000008
【図７】
0003103350.tif 000009
【図８】
0003103350.tif 000010
【図９】
0003103350.tif 000011
【図１０】
0003103350.tif 000012